【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
前面が開口された器体と、
前記器体の開口部内に収納配置されるプリント配線基板と、
前記プリント配線基板上に実装される複数個の発光素子と、
前記発光素子からの光をそれぞれ前方に向けて照射する複数個のレンズと、
前記発光素子に対応して前記レンズが各々取り付けられる複数個のレンズ保持部を有し、該各レンズ保持部に前記レンズを取り付け、前記各プリント配線基板の前側に配置させて前記器体の開口部内に収納配置されるレンズホルダーと、を備え、
前記プリント配線基板は複数に分割され、
前記レンズホルダーは前記プリント配線基板に対応して複数個に分割されていることを特徴とする投光器。
【請求項２】
前記プリント配線基板の前記発光素子が実装された側とは反対側の裏面に設けられた放熱板と前記放熱板のほぼ裏面全体に設けられた放熱フィンを有する放熱体を備える請求項１に記載の投光器。
【請求項３】
前記器体の外側面に設けられ前記放熱体の熱を放熱する放熱ベルトを備える請求項２に記載の投光器。
【請求項４】
前記器体の外側面をその一部を残して焼き付け塗装しているとともに、前記器体の内面に前記放熱体の一部を当接して該放熱体を取り付け、該器体の前記焼き付け塗装をしていない一部外面に前記放熱ベルトを当接して取り付けていることを特徴とする請求項３に記載の投光器。
【請求項５】
前記プリント配線基板の中心部分に設けられた孔部と、
前記複数の発光素子に電気的に接続され、前記孔部から前記プリント配線基板の前記発光素子が実装された側とは反対側の裏面に導かれる信号線とを備える請求項１ないし４のいずれか１項に記載の投光器。
【請求項６】
前記プリント配線基板と前記レンズホルダーは、前記放熱体に固定されて一体化されていることを特徴とする請求項２ないし５のいずれか１項に記載の投光器。
【請求項７】
前記プリント配線基板には、前記複数の発光素子を各々制御するレギュレータ用ＩＣを有する定電流回路を設けていることを特徴とする請求項１ないし６のいずれか１項に記載の投光器。
【請求項８】
前記レギュレータ用ＩＣは、前記プリント配線基板の外周端部に位置して実装されているとともに、該レギュレータ用ＩＣのパッケージ外面に放熱板を取り付けていることを特徴とする請求項７に記載の投光器。
【請求項９】
前記複数個の発光素子は、発光色が異なる発光素子を含んでいることを特徴とする請求項１ないし８のいずれか１項に記載の投光器。
【手続補正２】
【補正対象書類名】明細書
【補正対象項目名】０００９
【補正方法】変更
【補正の内容】
【０００９】
前記課題を解決するために、本発明に係る投光器は、（１）前面が開口された器体と、前記器体の開口部内に収納配置されるプリント配線基板と、前記プリント配線基板上に実装される複数個の発光素子と、前記発光素子からの光をそれぞれ前方に向けて照射する複数個のレンズと、前記発光素子に対応して前記レンズが各々取り付けられる複数個のレンズ保持部を有し、該各レンズ保持部に前記レンズを取り付け、前記各プリント配線基板の前側に配置させて前記器体の開口部内に収納配置されるレンズホルダーと、を備え、前記プリント配線基板は複数に分割され、前記レンズホルダーは前記プリント配線基板に対応して複数個に分割されていることを特徴とする。
【手続補正３】
【補正対象書類名】明細書
【補正対象項目名】００１０
【補正方法】変更
【補正の内容】
【００１０】
前記（１）の構成によれば、プリント配線基板は複数個の発光素子としてのＬＥＤを実装してユニットの体を成しているプリント配線部の単位で器体の所定の位置へ組み込むことができ、また、レンズホルダーも複数個のレンズを取り付けてユニットの体をなしているレンズホルダー部の単位で器体の所定の位置に組み込むことができる。すなわち、器体内に各部品を個々の状態では組み込まずに、取り扱い易い重量と大きさを有する部品ユニットにして器体の所定の位置へ一体に組み込むので、組立作業工数が減少し、また、部品間のずれ量も少なくなる。
【手続補正４】
【補正対象書類名】明細書
【補正対象項目名】００１１
【補正方法】変更
【補正の内容】
【００１１】
（２）前記（１）の構成において、前記プリント配線基板の前記発光素子が実装された側とは反対側の裏面に設けられた放熱板と前記放熱板のほぼ裏面全体に設けられた放熱フィンを有する放熱体を備える構成を採用できる。前記（２）の構成によれば、放熱体を介してＬＥＤの放熱を行い、該ＬＥＤが過熱するのを防止でき、該ＬＥＤの適正な明るさを長期間に亘って維持することができる。
【手続補正５】
【補正対象書類名】明細書
【補正対象項目名】００１２
【補正方法】変更
【補正の内容】
【００１２】
（３）前記（２）の構成において、前記器体の外側面に設けられ前記放熱体の熱を放熱する放熱ベルトを備える構成を採用できる。前記（３）の構成によれば、放熱体の熱を放熱するための放熱ベルトを器体の外に設けた事で、より効率的にＬＥＤの放熱をする事が出来る。
【手続補正６】
【補正対象書類名】明細書
【補正対象項目名】００１３
【補正方法】変更
【補正の内容】
【００１３】
（４）前記（３）の構成において、前記器体の外側面をその一部を残して焼き付け塗装しているとともに、前記器体の内面に前記放熱体の一部を当接して該放熱体を取り付け、該器体の前記焼き付け塗装をしていない一部外面に前記放熱ベルトを当接して取り付ける、構成を採用できる。
【手続補正７】
【補正対象書類名】明細書
【補正対象項目名】００１４
【補正方法】変更
【補正の内容】
【００１４】
前記（４）の構成によれば、器体の外面の中、放熱ベルトを取り付けていない外面部分には焼き付け塗装が施してあるので、該器体表面が塩害等で錆びるのを防止できる。一方、放熱カバーが当接して取り付けられている外面部分は放熱カバーの当接で錆びるのが防止できる。また、焼き付け塗装がされていない放熱カバーと器体との当接部分では、焼き付け塗装に放熱が邪魔されることなく器体側の熱が放熱カバー側に良く伝わり、放熱性を高める。
【手続補正８】
【補正対象書類名】明細書
【補正対象項目名】００１５
【補正方法】変更
【補正の内容】
【００１５】
（５）前記（１）ないし（４）のいずれか１つの構成において、前記プリント配線基板の中心部分に設けられた孔部と、前記複数の発光素子に電気的に接続され、前記孔部から前記プリント配線基板の前記発光素子が実装された側とは反対側の裏面に導かれる信号線とを備える、構成を採用できる。
【手続補正９】
【補正対象書類名】明細書
【補正対象項目名】００１６
【補正方法】変更
【補正の内容】
【００１６】
前記（５）の構成によれば、プリント配線基板の中心部分に設けられた孔部から信号線を引き出すため、分割されたプリント配線基板とレンズホルダーを組み合わせて投光器を組み立てる場合に、作業を簡単にする事ができる。
【手続補正１０】
【補正対象書類名】明細書
【補正対象項目名】００１７
【補正方法】変更
【補正の内容】
【００１７】
（６）前記（２）ないし（５）のいずれか１つの構成において、前記プリント配線基板と前記レンズホルダーは、前記放熱体に固定されて一体化されている、構成を採用できる。
【手続補正１１】
【補正対象書類名】明細書
【補正対象項目名】００１８
【補正方法】変更
【補正の内容】
【００１８】
前記（６）の構成によれば、放熱体と前記プリント配線基板と前記レンズホルダーを予め一体化し、この一体化した状態で器体に組み込むことができる。これにより、組立作業工数が減少し、また、部品間のずれ量もさらに少なくすることができる。
【手続補正１２】
【補正対象書類名】明細書
【補正対象項目名】００１９
【補正方法】変更
【補正の内容】
【００１９】
（７）前記（１）ないし（６）のいずれか１つの構成において、前記プリント配線基板には、前記複数の発光素子を各々制御するレギュレータ用ＩＣを有する定電流回路を設けている、構成を採用できる。
【手続補正１３】
【補正対象書類名】明細書
【補正対象項目名】００２０
【補正方法】変更
【補正の内容】
【００２０】
前記（７）の構成によれば、定電流回路の制御によりＬＥＤに流れる過電流を防止し、適正な明るさを長期間に亘って維持することができる。
【手続補正１４】
【補正対象書類名】明細書
【補正対象項目名】００２１
【補正方法】変更
【補正の内容】
【００２１】
（８）前記（７）の構成において、前記レギュレータ用ＩＣは、前記プリント配線基板の外周端部に位置して実装されているとともに、該レギュレータ用ＩＣのパッケージ外面に放熱板を取り付けている、構成を採用できる。
【手続補正１５】
【補正対象書類名】明細書
【補正対象項目名】００２２
【補正方法】変更
【補正の内容】
【００２２】
前記（８）の構成によれば、レギュレータ用ＩＣの発熱及びプリント配線基板に発生する熱を、該ＩＣパッケージ外面に取り付けている放熱板を通してそれぞれ放熱することができる。
【手続補正１６】
【補正対象書類名】明細書
【補正対象項目名】００２３
【補正方法】変更
【補正の内容】
【００２３】
（９）前記（１）ないし（８）のいずれか１つの構成において、前記複数個の発光素子は、発光色が異なる発光素子を含んでいる、構成を採用できる。
【手続補正１７】
【補正対象書類名】明細書
【補正対象項目名】００２４
【補正方法】変更
【補正の内容】
【００２４】
前記（９）の構成によれば、例えば白、赤、緑、青色等のＬＥＤを用いて所望の色への調整を行い、色彩豊かなライトアップ等を可能にすることができる。